(57)【特許請求の範囲】
【請求項１】
放送済の番組を一に特定する過去番組特定情報を取得する過去番組特定情報取得部と、
将来に放送される番組を示す将来ＥＰＧを取得する将来ＥＰＧ取得部と、
過去番組特定情報をキーとして過去番組と同一番組を将来ＥＰＧから検索する検索部と、
過去番組特定情報に基づいて、その番組の再放送の確度に関する情報であって過去の一定期間における同一放送局の同一放送時間帯の番組が再放送された割合を示す情報である再放送確度情報を統計的に取得する再放送確度情報取得部と、
を有し、
過去番組特定情報取得部は、
過去ＥＰＧから抽出される過去番組を識別する情報である過去番組識別情報を保持する過去番組識別情報保持手段と、
この保持されている過去番組識別情報に基づいて過去番組特定情報を取得する過去番組識別情報経由取得手段と、
を有する再放送録画予約装置。
【請求項２】
過去番組特定情報取得部は、
過去ＥＰＧを表示し、利用者に番組を選択させる過去ＥＰＧ表示選択手段と、
選択された番組に関する過去ＥＰＧから過去番組特定情報を取得する過去ＥＰＧ経由取得手段を有する請求項１に記載の再放送録画予約装置。
【請求項３】
将来ＥＰＧから検索された過去番組と同一番組の録画予約を実行する録画予約部をさらに有する請求項１または２に記載の再放送録画予約装置。
【請求項４】
再放送確度情報取得部は、過去番組特定情報をキーとして過去ＥＰＧを検索し、検索されたその番組の放送済回数を取得して前記再放送確度情報を算出する請求項１から３のいずれか一に記載の再放送録画予約装置。
【請求項５】
再放送情報付ＥＰＧを取得する再放送情報付ＥＰＧを取得する再放送情報付ＥＰＧ取得部を有し、
前記検索部は、取得した再放送情報付ＥＰＧに基づいて前記検索を行う請求項１から４のいずれか一に記載の再放送録画予約装置。
【請求項６】
放送済の番組を一に特定する過去番組特定情報を取得する過去番組特定情報取得ステップと、
将来に放送される番組を示す将来ＥＰＧを取得する将来ＥＰＧ取得ステップと、
過去番組特定情報をキーとして過去番組と同一番組を将来ＥＰＧから検索する検索ステップと、
過去番組特定情報に基づいて、その番組の再放送の確度に関する情報であって過去の一定期間における同一放送局の同一放送時間帯の番組が再放送された割合を示す情報である再放送確度情報を統計的に取得する再放送確度情報取得ステップと、
からなる工程を有し、
過去番組特定情報取得ステップは、
過去ＥＰＧから抽出される過去番組を識別する情報である過去番組識別情報を保持する過去番組識別情報保持サブステップと、
この保持されている過去番組識別情報に基づいて過去番組特定情報を取得する過去番組識別情報経由取得サブステップと、
を有する再放送録画予約装置の動作方法。
【発明の詳細な説明】
【技術分野】
【０００１】
本発明は、見逃した番組を過去番組特定情報に基づいて将来ＥＰＧから検索する再放送録画予約装置に関する。
【背景技術】
【０００２】
従来、デジタルテレビジョン放送において、録画予約番組の録画がうまく行われなかった場合には、その予約番組の再放送をＥＰＧ（Ｅｌｅｃｔｒｏｎｉｃ  Ｐｒｏｇｒａｍ  Ｇｕｉｄｅ：電子番組ガイド）から検索して録画予約を行う方法が提案されている。例えば、特許文献１には、録画予約番組の電波状態を監視し、電波受信状態が悪く、正常な状態で録画ができなかったと判断した場合、その予約番組の再放送をＥＰＧから検索して、該当番組があったら録画を予約する方法が開示されている。また特許文献１には、録画予約番組の録画時間帯に停電等の事情により、録画予約番組の予約ができなかったと判断した場合も、同様に、その予約番組の再放送をＥＰＧから検索して、該当番組があったら録画を予約する方法が開示されている。
【特許文献１】特開２０００−３１２３２３
【発明の開示】
【発明が解決しようとする課題】
【０００３】
しかしながら特許文献１の方法では、見逃した番組の再放送を録画することができない。なぜならば、特許文献１の方法では、予め録画予約番組が特定されている場合に可能な方式だからである。従って、見逃した番組を録画予約するためには、まず見逃した番組を検索する必要があり、この検索には、新聞・雑誌等の番組表から探していくしかなかった。そしてＥＰＧあるいは新聞・雑誌等の番組表の中に再放送が発見された場合には、新規に録画予約を設定しなければならず操作が大変わずらわしいという問題点があった。
【課題を解決するための手段】
【０００４】
本件発明は、上記課題に鑑みなされたものである。
【０００５】
第一の発明は、放送済の番組を一に特定する過去番組特定情報を取得する過去番組特定情報取得部と、将来に放送される番組を示す将来ＥＰＧを取得する将来ＥＰＧ取得部と、過去番組特定情報をキーとして過去番組と同一番組を将来ＥＰＧから検索する検索部と、を有する再放送録画予約装置に関する。
【０００６】
第二の発明は、過去番組特定情報取得部は、過去ＥＰＧを表示し、利用者に番組を選択させる過去ＥＰＧ表示選択手段と、選択された番組に関する過去ＥＰＧから過去番組特定情報を取得する過去ＥＰＧ経由取得手段を有する第一の発明に記載の再放送録画予約装置に関する。
【０００７】
第三の発明は、過去番組特定情報取得部は、過去ＥＰＧから抽出される過去番組を識別する情報である過去番組識別情報を保持する過去番組識別情報保持手段と、この保持されている過去番組識別情報に基づいて過去番組特定情報を取得する過去番組識別情報経由取得手段と、を有する第一の発明又は第二の発明に記載の再放送録画予約装置に関する。
【０００８】
第四の発明は、将来ＥＰＧから検索された過去番組と同一番組の録画予約を実行する録画予約部をさらに有する第一の発明から第三の発明のいずれか一に記載の再放送録画予約装置に関する。
【０００９】
第五の発明は、過去番組特定情報に基づいてその番組の再放送の確度に関する情報を取得する再放送確度情報取得部をさらに有する第一の発明から第四の発明のいずれか一に記載の再放送録画予約装置に関する。
【００１０】
第六の発明は、再放送確度情報取得部は、過去番組特定情報をキーとして過去ＥＰＧを検索し、検索されたその番組の放送済回数を取得して前記再放送確度情報を算出する第五の発明に記載の再放送録画予約装置に関する。
【００１１】
第七の発明は、再放送情報付ＥＰＧを取得する再放送情報付ＥＰＧを取得する再放送情報付ＥＰＧ取得部を有し、前記検索部は、取得した再放送情報付ＥＰＧに基づいて前記検索を行う第一の発明から第六の発明のいずれか一に記載の再放送録画予約装置に関する。
【００１２】
第八の発明は、再放送に関する情報を含むＥＰＧである再放送情報付ＥＰＧを放送する再放送情報付ＥＰＧ放送装置に関する。
【発明の効果】
【００１３】
本件発明によれば、放送済の過去番組から一の番組を特定し、将来ＥＰＧから検索することが可能となる。
【発明を実施するための最良の形態】
【００１４】
以下に本件発明の実施形態を説明する。実施形態と、請求項との関係はおおむね次のようなものである。
実施形態５は、主に、請求項１、請求項６について説明している。
実施形態２は、主に、請求項２について説明している。
実施形態４は、主に、請求項３について説明している。
実施形態６は、主に、請求項４について説明している。
実施形態７は、主に、請求項５について説明している。
また、これらの説明に先立ち、本発明の特許請求の範囲には含まれないが、実施形態１、３は、主に、請求項１と同様の再放送録画予約装置であって、再放送確度情報取得部などが必須の構成要素でない装置について説明している。また、実施形態２、４においては、請求項２、３と同様の再放送録画予約装置であって、再放送確度情報取得部などが必須の構成要素でない装置についても説明している。さらに、実施形態８は、本発明に関連する発明であって、再放送に関する情報を含むＥＰＧである再放送情報付ＥＰＧを放送する再放送情報付ＥＰＧ放送装置について説明している。
【００１５】
なお、以下に記載する各機能ブロックは、ハードウェア、又はメモリ上に展開しハードウェアを制御することでその作用が得られるソフトウェア、又はハードウェア及びソフトウェアの両方として実現され得る。具体的には、コンピュータを利用するものであれば、ＣＰＵやメモリ、ハードディスクドライブ、ＣＤ−ＲＯＭやＤＶＤ−ＲＯＭなどの読取ドライブ、各種通信用の送受信ポート、インターフェース、その他の周辺装置などのハードウェア構成部や、それらハードウェアを制御するためのドライバプログラムやその他アプリケーションプログラムなどが挙げられる。
【００１６】
また、この発明は装置またはシステムとして実現できるのみでなく、方法としても実現可能である。また、このような発明の一部をソフトウェアとして構成することもできる。さらに、そのようなソフトウェアをコンピュータに実行させるために用いるソフトウェア製品、及び同製品を記録媒体に固定した記録媒体も、当然にこの発明の技術的な範囲に含まれる。（本明細書の全体を通じて同様である。）
【００１７】
以下に、図を用いて本発明の実施の形態を説明する。なお、本発明はこれら実施の形態に何ら限定されるものではなく、その要旨を逸脱しない範囲において、種々なる態様で実施しうる。
【００１８】
<<実施形態１>>
以下に、実施形態１について説明する。
<実施形態１の概念>
以下に本実施形態の概念について説明する。
図１は、本実施形態の概念の一例を説明するための図である。本実施形態の再放送録画予約装置は、過去番組特定情報０１０１と、将来ＥＰＧ０１０２を取得し、過去番組特定情報をキーとして過去番組（１日（月）、１チャンネル、９：００〜１０：００「家政婦は聞いた」）と同一番組を将来ＥＰＧから検索する（７日（日）、１チャンネル、［字］［再］２０：００〜２１：００「家政婦は聞いた」<番組概要>家政婦の聞いた秘密とは［原作］山崎とよ［脚本］山田五郎［音楽］坂田竜［出演］市岡悦子［番組内容］家政婦がある日突然主人の秘密を聞いてしまったことから命を狙われることになる）。
【００１９】
<構成要件の明示>
以下に、本実施形態の構成要件を明示する。
図２は、本実施形態の機能ブロックの一例を示すための図である。再放送録画予約装置０２００は、過去番組特定情報取得部０２０１と、将来ＥＰＧ取得部０２０２と、検索部０２０３と、からなる。
【００２０】
<構成要件の説明>
以下に、本実施形態の構成要件について説明をする。
（過去番組特定情報取得部）
「過去番組特定情報取得部」は、過去番組特定情報を取得するように構成されている。ここで「過去番組特定情報」とは、放送済の番組を一に特定するための情報のことをいう。過去番組特定情報には、一例として、（日時、番組タイトル）、（放送チャンネル、番組タイトル）、（番組タイトル）、（出演者の組合せ）、（番組概要）、（番組内容の全部又は一部）などで特定される一の情報が挙げられる。過去番組特定情報は、一例として、過去のＥＰＧ（Ｅｌｅｃｔｒｏｎｉｃ  Ｐｒｏｇｒａｍ  Ｇｕｉｄｅ：電子番組ガイド）である過去ＥＰＧに基づいて取得される。過去ＥＰＧは、再放送録画予約装置の内部のメモリに保持されていてもよいし、インターネット上のサーバ装置に保持されていてもよい。
【００２１】
図３は、過去番組特定情報の一例を示す図である。図３（１）は、過去番組特定情報が番組タイトル「赤い巨塔」である場合を示している。図３（２）は、過去番組特定情報が出演者の組合せ「唐沢敏、江本洋介、黒田瞳」である場合を示している。図３（３）は、過去番組特定情報が番組概要「カルテ改ざん」である場合を示している。
【００２２】
以下にＥＰＧについて簡単に説明する。「ＥＰＧ」とは、テレビの画面に表示するための電子番組表のことをいう。ＥＰＧは、一般的には、新聞のテレビ番組欄のような構成をしており、視聴者は、ＥＰＧ上で所望の番組を選択・視聴・予約することができる。ＥＰＧは、番組単位でデータが構成されており、番組単位で保存したり取り出したりすることができる。ＥＰＧは、例えば、当日から１週間先まで計８日分の番組情報を表示することができ、視聴予約・録画予約、ジャンル別検索なども可能である。またＥＰＧでは、基本情報として番組名（４０文字以内）や簡単な番組紹介（８０文字以内）を表示するとともに、詳細情報として番組内容・出演者など（２００文字以内）を表示することも可能である。また、番組表が見られるだけでなく、「ドラマ」「スポーツ」「映画」などのジャンル別検索、出演者などのキーワードによる番組検索なども可能である。またＥＰＧは、放送時間の変更にもリアルタイムに対応し、例えばスポーツ中継の延伸の時も、後の番組の放送時間の変更に対応することができる。デジタル放送では、一般的に、番組の映像音声データに番組情報（ＥＣＭ：Ｅｎｔｉｔｌｅｍｅｎｔ  Ｃｏｎｔｒｏｌ  Ｍｅｓｓａｇｅ）や個別情報（ＥＭＭ：Ｅｎｔｉｔｌｅｍｅｎｔ  Ｍａｎａｇｅｍｅｎｔ  Ｍｅｓｓａｇｅ）が多重化され、さらに、データ放送のデータや、ＳＩ（Ｓｅｒｖｉｃｅ  Ｉｎｆｏｒｍａｔｉｏｎ：サービス情報）などが多重化されて放送される。ＥＰＧは、一般的に、受信したＳＩに基づいて生成される。なお、ＥＰＧは、デジタル放送用に限定されず、アナログ放送用であってもよい。
取得された過去番組特定情報は、検索部に出力されるなどして利用される。
【００２３】
（将来ＥＰＧ取得部）
「将来ＥＰＧ取得部」は、将来ＥＰＧを取得するように構成されている。ここで「将来ＥＰＧ」とは、将来に放送される番組を示すＥＰＧのことをいう。将来ＥＰＧは、再放送録画予約装置の内部のメモリに蓄積されてそこから取得されてもよいし、インターネット経由で外部から取得されてもよい。
【００２４】
図４は、将来ＥＰＧの一例を示す図である。図４においては、例えば、字幕放送［字］と、ステレオ放送［Ｓ］と、日時（７日（日）１８：００〜１９：００）と、受信チャンネル（１チャンネル）と、番組タイトル（ニュースの山）と、<番組概要>リブドアによる粉飾決算［出演］山田太郎他［番組内容］ホラエモン逮捕続報）とにより、ＥＰＧが構成されている。なお、図４には、２チャンネル分の１８：００〜２２：００の番組のみ示しているが、ＥＰＧの表示はこれに限定されるものではない。例えば、２４時間表示であってもよいし、全チャンネルを表示してもよいし、一のチャンネルについて複数日の番組を同時表示するようなものであってもよい。
取得された将来ＥＰＧは、検索部による検索対象として利用される。
【００２５】
（検索部）
「検索部」は、過去番組特定情報をキーとして過去番組と同一番組を将来ＥＰＧから検索するように構成されている。検索部での検索は、一例として、過去番組特定情報で特定される「番組タイトル」をキー情報として、将来ＥＰＧの中からその番組タイトルと一致する文字列を有する番組をサーチして文字列がマッチングした番組を抽出することにより行われる。将来ＥＰＧは、番組単位で情報が構成されており、検索部は、番組単位で全ての番組について検索を実行する。
【００２６】
（ハードウェア構成図）
以下に、本実施形態のハードウェア構成の一例について説明する。
図５は、本実施形態の再放送録画予約装置のハードウェア構成の一例を示す概略図である。この図を利用して、再放送録画予約装置のそれぞれのハードウェア構成部の働きについて説明する。この図にあるように、再放送録画予約装置０５００は、将来ＥＰＧ取得部０５０２に「将来ＥＰＧ生成器」（０５０４）を備えている。また、再放送録画予約装置は、検索部０５０３に「ＣＰＵ（中央処理装置）」（０５０５）と、「主メモリ」（０５０６）と、「記憶装置」（０５０７）と、「内蔵時計」（０５０８）と、を備えている。また、再放送録画予約装置は、「アンテナ」（０５０９）と、「チューナ」（０５１０）と、「入力インターフェース」（０５１１）と、を備えている。そして、それらが「システムバス」（０５０１）などのデータ通信経路によって相互に接続され、情報の送受信や処理を行う。
【００２７】
記憶装置は、ＣＰＵにて実行される各種プログラム（例えば検索用プログラム（検索部）、過去番組特定情報取得用プログラム（過去番組特定情報取得部）など）や、過去ＥＰＧ、過去番組特定情報、将来ＥＰＧなどを記憶している。またＣＰＵは、記憶装置に記憶されているプログラムを実行するために読み出す。それと同時に主メモリは、そのプログラムの作業領域でもあるワーク領域を提供する。また、主メモリや記憶装置にはそれぞれメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。また、将来ＥＰＧ取得部の将来ＥＰＧ生成器は、アンテナ、チューナを介して受信したデジタルテレビ放送の情報に基づいて将来ＥＰＧを生成する。以上が各ハードウェア構成の機能である。
【００２８】
以下に、過去番組特定情報をキーとして過去番組と同一番組を将来ＥＰＧから検索する場合について説明する。現在日時が２００７年１月２６日であるとする。まず再放送録画予約装置の電源を入れると、記憶装置に記憶されている検索用プログラム（アドレス０１）、過去番組特定情報取得用プログラム（アドレス０２）が主メモリのワーク領域（アドレス１１、１５）にそれぞれ展開される。また、将来ＥＰＧ取得部の将来ＥＰＧ生成器は、常時、アンテナ、チューナを介して受信したＳＩなどの情報に基づいて、将来ＥＰＧを生成し、記憶装置のアドレス０５に記録する。生成した将来ＥＰＧが現在時刻からみて過去のものになった場合には、属性を過去ＥＰＧとして記憶装置のアドレス０３に保持する。過去番組特定情報取得用プログラムは、入力インターフェースからの入力に基づいて、記憶装置のアドレス０４から過去番組特定情報（２００７年１月２０日、１０１チャンネル、２１：００〜２２：００「ミュージック２１」）を取得する。検索用プログラムは、アドレス０４に格納された過去番組特定情報の中から「ミュージック２１」をキーとしてアドレス０５に格納された将来ＥＰＧから検索し、過去番組と同一番組（［Ｓ］［再］２００７年１月３１日、１０１チャンネル、２３：００〜０：００「ミュージック２１」<番組概要>Ｎ−ＰＯＰ［出演］幸田久美、歌ひかる、浜山あゆ、イブニング娘、ＶＯＡ、ＳＮＡＰ、ＹＥＬＬＯＷ、関東キッズ、ＷＡＴ他［番組内容］Ｎ−ＰＯＰを代表するトップ１０勢ぞろい）の放送予定情報を記憶装置に記録する。なお、以上の説明においては、検索部と、過去番組特定情報取得部とは、ソフトウェアで構成されているものとして説明したが、ハードウェアで構成されていてもよい。
【００２９】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図６は、本実施形態の処理の流れの一例を示す図である。
まず過去番組特定情報取得ステップは、放送済の番組を一に特定する過去番組特定情報を取得する（ステップＳ０６０１）。
次に将来ＥＰＧ取得ステップは、将来に放送される番組を示す将来ＥＰＧを取得する（ステップＳ０６０２）。
次に検索ステップは、過去番組特定情報をキーとして過去番組と同一番組を将来ＥＰＧから検索を開始し（ステップＳ０６０３）、同一番組が見つかったかどうか判断する（ステップＳ０６０４）。判断の結果、同一番組が見つかった場合には、過去番組と同一番組の放送予定情報を記録し（ステップＳ０６０５）、ステップＳ０６０６に進む。判断の結果、同一番組が見つからなかった場合には、ステップＳ０６０６に進む。
次に検索ステップは、将来ＥＰＧのすべての番組を検索したか判断する（ステップＳ０６０６）。判断の結果、将来ＥＰＧのすべての番組を検索した場合には処理を終了し、将来ＥＰＧのすべての番組を検索していない場合には、ステップＳ０６０７に進む。
次に検索ステップは、次の番組を検索し、ステップＳ０６０４に進む（ステップＳ０６０７）。
【００３０】
<実施形態１の効果の簡単な説明>
本実施形態の再放送録画予約装置によれば、過去番組特定情報をキーとして過去番組と同一番組を将来ＥＰＧから検索することができる。
【００３１】
<<実施形態２>>
以下に、実施形態２について説明する。
<実施形態２の概念>
以下に本実施形態の概念について説明する。本実施形態は、過去番組特定情報取得部が、過去ＥＰＧを表示し、利用者に番組を選択させる過去ＥＰＧ表示選択手段と、選択された番組に関する過去ＥＰＧから過去番組特定情報を取得する過去ＥＰＧ経由取得手段を有する実施形態１に記載の再放送録画予約装置に関する。
【００３２】
<構成要件の明示>
以下に、本実施形態の構成要件を明示する。
図７は、本実施形態の機能ブロックの一例を示すための図である。再放送録画予約装置０７００は、過去番組特定情報取得部０７０１と、将来ＥＰＧ取得部０７０２と、検索部０７０３と、からなる。また、過去番組特定情報取得部は、過去ＥＰＧ表示選択手段０７０４と、過去ＥＰＧ経由取得手段０７０５と、を有する。
【００３３】
<構成要件の説明>
以下に、本実施形態の構成要件について説明をする。
（過去番組特定情報取得部）
「過去番組特定情報取得部」は、過去ＥＰＧ表示選択手段と、過去ＥＰＧ経由取得手段と、を有するように構成されている。それ以外の点については実施形態1と同様なので説明を省略する。
【００３４】
（過去ＥＰＧ表示選択手段）
「過去ＥＰＧ表示選択手段」は、過去ＥＰＧを表示し、利用者に番組を選択させるように構成されている。過去ＥＰＧの表示は、一例として、図４に示したように、２チャンネル分の番組のみの表示であってもよいがそれに限定されるものではない。例えば、２４時間表示であってもよいし、アナログ放送又はデジタル放送の全チャンネルを表示してもよいし、一のチャンネルについて複数日の番組を同時表示するようなものであってもよい。利用者は、表示された過去ＥＰＧの中から見逃した番組を検索し、選択することができる。番組は、一例として、ＧＵＩ（Ｇｒａｐｈｉｃａｌ  Ｕｓｅｒ  Ｉｎｔｅｒｆａｃｅ）を利用してキーボードによってカーソルを選択する番組に移動したり、選択する番組をマウスボタンをクリックしたり、ポインティングデバイスによってペンで画面上の番組に触れたりすることにより選択される。
選択された番組は、過去ＥＰＧ経由取得手段に出力されるなどして利用される。
【００３５】
（過去ＥＰＧ経由取得手段）
「過去ＥＰＧ経由取得手段」は、選択された番組に関する過去ＥＰＧから過去番組特定情報を取得するように構成されている。過去ＥＰＧから過去番組特定情報の取得の方法は、一例として、以下のように行われる。選択された番組に関する過去ＥＰＧが、（１日（月）、１チャンネル、［字］［Ｓ］２０：００〜２１：００「恋の湯伝説殺人事件」<番組概要>［原作］水谷龍一［脚本］下藤聡［音楽］坂本太郎［出演］角田卓造、たかお鷹、山崎銀、坂田敏、下野葉子、池田季子［番組内容］２人の温泉コンサルタントが、かつて手掛けた温泉旅館の売却騒動と殺人事件に巻き込まれる。）であるとする。このとき過去ＥＰＧ経由取得手段は、過去ＥＰＧの中から番組タイトルを識別する情報を取得する。一例として、構造化文章でタグにより番組のタイトルが「恋の湯伝説殺人事件」として記述されている場合を説明すると以下のようになる。例えば、ＴＩＴＬＥで囲まれた制御コードの文字列（この例では、ＴＩＴＬＥ／恋の湯伝説殺人事件／ＴＩＴＬＥなど）を番組タイトルを識別する情報として取得する。取得した番組タイトルを識別する情報に基づいて、番組タイトル「恋の湯伝説殺人事件」を抽出し、過去番組特定情報とする。
取得された過去番組特定情報は、検索部に出力されるなどして利用される。
【００３６】
（将来ＥＰＧ取得部）、（検索部）
「将来ＥＰＧ取得部」、「検索部」は、実施形態１と同様なので説明を省略する。
【００３７】
（ハードウェア構成図）
以下に、本実施形態のハードウェア構成の一例について説明する。
（ハードウェア構成図）
以下に、本実施形態のハードウェア構成の一例について説明する。
図８は、本実施形態の再放送録画予約装置のハードウェア構成の一例を示す概略図である。この図を利用して、再放送録画予約装置のそれぞれのハードウェア構成部の働きについて説明する。この図にあるように、再放送録画予約装置０８００は、将来ＥＰＧ取得部０８０２に「将来ＥＰＧ生成器」（０８０４）を備えている。また、再放送録画予約装置は、検索部０８０３に「ＣＰＵ（中央処理装置）」（０８０５）と、「主メモリ」（０８０６）と、「記憶装置」（０８０７）と、「内蔵時計」（０８０８）と、を備えている。また、再放送録画予約装置は、「アンテナ」（０８０９）と、「チューナ」（０８１０）と、「入力インターフェース」（０８１１）と、を備えている。また、再放送録画予約装置は、「ディスプレイ」（０８１２）を備えている。そして、それらが「システムバス」（０８０１）などのデータ通信経路によって相互に接続され、情報の送受信や処理を行う。
【００３８】
ディスプレイは、過去ＥＰＧ、過去番組特定情報、将来ＥＰＧなどを画面に表示するように構成されている。それ以外の各ハードウェア構成の機能については、実施形態1と同様であるので説明を省略する。
【００３９】
以下に、表示された過去ＥＰＧを選択することにより過去番組特定情報を取得する場合について説明する。まず再放送録画予約装置の電源を入れると、記憶装置に記憶されている検索用プログラム（アドレス０１）、過去ＥＰＧ表示選択用プログラム（アドレス０２）、過去ＥＰＧ経由取得用プログラム（アドレス０３）が主メモリのワーク領域（アドレス１１、１５、１６）にそれぞれ展開される。次に、過去ＥＰＧとして記憶装置に保持するまでの動作は実施形態1と同様であるので省略する。次に過去ＥＰＧ表示選択用プログラム（過去ＥＰＧ表示選択手段、アドレス１５）は、記憶装置のアドレス０４に格納されている過去ＥＰＧをディスプレイに表示する。利用者は、表示された過去ＥＰＧの中から見逃した番組（［Ｓ］２００７年１月２０日、１０１チャンネル、２１：００〜２２：００「ミュージック２１」<番組概要>Ｎ−ＰＯＰ［出演］幸田久美、歌ひかる、浜山あゆ、イブニング娘、ＶＯＡ、ＳＮＡＰ、ＹＥＬＬＯＷ、関東キッズ、ＷＡＴ他［番組内容］Ｎ−ＰＯＰを代表するトップ１０勢ぞろい）を、入力インターフェースを介して選択する。次に過去ＥＰＧ経由取得用プログラム（過去ＥＰＧ経由取得手段、アドレス１６）は、過去番組を特定する情報として番組タイトル「ミュージック２１」を抽出し、過去番組特定情報として記憶装置のアドレス０５に格納する。検索用プログラムは、記憶装置のアドレス０５に格納された過去番組特定情報の中から「ミュージック２１」をキーとして記憶装置のアドレス０６に格納された将来ＥＰＧから検索し、過去番組と同一番組（［Ｓ］［再］２００７年１月３１日、１０１チャンネル、２３：００〜０：００「ミュージック２１」<番組概要>Ｎ−ＰＯＰ［出演］幸田久美、歌ひかる、浜山あゆ、イブニング娘、ＶＯＡ、ＳＮＡＰ、ＹＥＬＬＯＷ、関東キッズ、ＷＡＴ他［番組内容］Ｎ−ＰＯＰを代表するトップ１０勢ぞろい）の放送予定情報を記憶装置に記録する。なお、以上の説明においては、検索部と、過去ＥＰＧ表示選択手段と、過去ＥＰＧ経由取得手段とは、ソフトウェアで構成されているものとして説明したが、ハードウェアで構成されていてもよい。
【００４０】
<処理の流れ>
以下に、本実施形態の処理の流れについて説明する。
図９は、本実施形態の処理の流れの一例を示す図である。
まず過去ＥＰＧ表示選択ステップは、過去ＥＰＧを表示する（ステップＳ０９０１）。
次に過去ＥＰＧ表示選択ステップは、利用者に番組を選択させる（ステップＳ０９０２）。
次に過去ＥＰＧ経由取得ステップは、選択された番組に関する過去ＥＰＧから過去番組特定情報を取得する（ステップＳ０９０３）。
次に将来ＥＰＧ取得ステップは、将来に放送される番組を示す将来ＥＰＧを取得する（ステップＳ０９０４）。
次に検索ステップは、過去番組特定情報をキーとして過去番組と同一番組を将来ＥＰＧから検索を開始し（ステップＳ０９０５）、同一番組が見つかったかどうか判断する（ステップＳ０９０６）。判断の結果、同一番組が見つかった場合には、過去番組と同一番組の放送予定情報を記録し（ステップＳ０９０７）、ステップＳ０９０８に進む。判断の結果、同一番組が見つからなかった場合には、ステップＳ０９０８に進む。
次に検索ステップは、将来ＥＰＧのすべての番組を検索したか判断する（ステップＳ０９０８）。判断の結果、将来ＥＰＧのすべての番組を検索した場合には処理を終了し、将来ＥＰＧのすべての番組を検索していない場合には、ステップＳ０９０９に進む。
次に検索ステップは、次の番組を検索し、ステップＳ０９０６に進む（ステップＳ０９０９）。
【００４１】
<実施形態２の効果の簡単な説明>
本実施形態の再放送録画予約装置によれば、過去ＥＰＧを表示し、利用者に番組を選択させることができる。
【００４２】
<<実施形態３>>
以下に、実施形態３について説明する。
<実施形態３の概念>
以下に本実施形態の概念について説明する。本実施形態は、過去番組特定情報取得部が、過去ＥＰＧから抽出される過去番組を識別する情報である過去番組識別情報を保持する過去番組識別情報保持手段と、この保持されている過去番組識別情報に基づいて過去番組特定情報を取得する過去番組識別情報経由取得手段と、を有する実施形態１又は２に記載の再放送録画予約装置に関する。
【００４３】
<構成要件の明示>
以下に、本実施形態の構成要件を明示する。
図１０は、本実施形態の機能ブロックの一例を示すための図である。再放送録画予約装置１０００は、過去番組特定情報取得部１００１と、将来ＥＰＧ取得部１００２と、検索部１００３と、からなる。また、過去番組特定情報取得部は、過去番組識別情報保持手段１００６と、過去番組識別情報経由取得手段１００７と、を有する。さらに、過去番組特定情報取得部は、過去ＥＰＧ表示選択手段と、過去ＥＰＧ経由取得手段と、を有する構成であってもよい。
【００４４】
<構成要件の説明>
以下に、本実施形態の構成要件について説明をする。
（過去番組特定情報取得部）
「過去番組特定情報取得部」は、過去番組識別情報保持手段と、過去番組識別情報経由取得手段と、を有するように構成されている。それ以外の点は実施形態１又は２と同様なので説明を省略する。
【００４５】
（過去番組識別情報保持手段）
「過去番組識別情報保持手段」は、過去番組識別情報を保持するように構成されている。ここで「過去番組識別情報」とは、過去ＥＰＧから抽出される過去番組を識別する情報のことをいう。過去番組識別情報は、過去ＥＰＧから抽出されるので情報量としては過去ＥＰＧよりも少ない。したがって、過去ＥＰＧの情報の内、必要な分の情報だけ保持しておけばよいので記憶容量を少なくすることができる。また過去ＥＰＧは、必要な過去番組識別情報があれば、保持しておく必要はない。
図１１は、過去番組識別情報の一例を示す図である。図１１においては、例えば、字幕放送［字］と、ステレオ放送［Ｓ］と、日時（７日（日）１８：００〜１９：００）と、受信チャンネル（１チャンネル）と、番組タイトル（ニュースの山）と、番組概要（リブドアによる粉飾決算）とにより、過去番組識別情報が構成されている。
保持されている過去番組識別情報は、過去番組識別情報経由取得手段に出力されるなどして利用される。
【００４６】
（過去番組識別情報経由取得手段）
「過去番組識別情報経由取得手段」は、この保持されている過去番組識別情報に基づいて過去番組特定情報を取得するように構成されている。過去番組識別情報から過去番組特定情報の取得の方法は、一例として、以下のように行われる。選択された番組に関する過去番組識別情報が、（１日（月）、１チャンネル、［字］［Ｓ］２０：００〜２１：００「ニュースの山」<番組概要>リブドアによる粉飾決算）であるとする。なお、この場合には、過去番組識別情報は、過去ＥＰＧから番組内容の詳細が省かれて番組概要だけが残っているものとしている。このとき過去番組識別情報経由取得手段は、過去番組識別情報の中から番組タイトルを識別する情報を取得する。一例として、構造化文章でタグにより番組のタイトルが「ニュースの山」として記述されている場合を説明すると以下のようになる。例えば、ＴＩＴＬＥで囲まれた制御コードの文字列（この例では、ＴＩＴＬＥ／ニュースの山／ＴＩＴＬＥなど）を番組タイトルを識別する情報として取得する。取得した番組タイトルを識別する情報に基づいて、番組タイトル「ニュースの山」を抽出し、過去番組特定情報とする。なお、過去番組識別情報と過去番組特定情報とが同一であってもよい。
取得された過去番組特定情報は、検索部に出力されるなどして利用される。
【００４７】
（将来ＥＰＧ取得部）、（検索部）、（過去ＥＰＧ表示選択手段）、（過去ＥＰＧ経由取得手段）
「将来ＥＰＧ取得部」、「検索部」、「過去ＥＰＧ表示選択手段」、「過去ＥＰＧ経由取得手段」は、実施形態１又は２と同様なので説明を省略する。
【００４８】
（ハードウェア構成図）
以下に、本実施形態のハードウェア構成の一例について説明する。
（ハードウェア構成図）
以下に、本実施形態のハードウェア構成の一例について説明する。
図１２は、本実施形態の再放送録画予約装置のハードウェア構成の一例を示す概略図である。この図を利用して、再放送録画予約装置のそれぞれのハードウェア構成部の働きについて説明する。この図にあるように、再放送録画予約装置１２００は、将来ＥＰＧ取得部１２０２に「将来ＥＰＧ生成器」（１２０４）を備えている。また、再放送録画予約装置は、検索部１２０３に「ＣＰＵ（中央処理装置）」（１２０５）と、「主メモリ」（１２０６）と、「記憶装置」（１２０７）と、「内蔵時計」（１２０８）と、を備えている。また、再放送録画予約装置は、「アンテナ」（１２０９）と、「チューナ」（１２１０）と、「入力インターフェース」（１２１１）と、を備えている。そして、それらが「システムバス」（１２０１）などのデータ通信経路によって相互に接続され、情報の送受信や処理を行う。
各ハードウェア構成の機能については、実施形態1又は２と同様であるので説明を省略する。
【００４９】
以下に、過去番組識別情報に基づいて過去番組特定情報を取得する場合について説明する。まず再放送録画予約装置の電源を入れると、記憶装置に記憶されている検索用プログラム（アドレス０１）、過去番組識別情報経由取得用プログラム（アドレス０２）が主メモリのワーク領域（アドレス１１、１５）にそれぞれ展開される。次に、過去ＥＰＧとして記憶装置に保持するまでの動作は実施形態1又は２と同様であるので省略する。次に過去番組識別情報経由取得用プログラム（過去番組識別情報経由取得手段、アドレス１５）は、記憶装置（過去番組識別情報保持手段）のアドレス０６に保持されている過去番組識別情報（［Ｓ］２００７年１月２０日、１０１チャンネル、２１：００〜２２：００「ミュージック２１」<番組概要>Ｎ−ＰＯＰ）に基づいて、過去番組を特定する情報として番組タイトル「ミュージック２１」を抽出し、過去番組特定情報として記憶装置のアドレス０４に格納する。検索用プログラムは、記憶装置のアドレス０４に格納されている過去番組特定情報の中から「ミュージック２１」をキーとして記憶装置のアドレス０５に格納されている将来ＥＰＧから検索し、過去番組と同一番組（［Ｓ］［再］２００７年１月３１日、１０１チャンネル、２３：００〜０：００「ミュージック２１」<番組概要>Ｎ−ＰＯＰ［出演］幸田久美、歌ひかる、浜山あゆ、イブニング娘、ＶＯＡ、ＳＮＡＰ、ＹＥＬＬＯＷ、関東キッズ、ＷＡＴ他［番組内容］Ｎ−ＰＯＰを代表するトップ１０勢ぞろい）の放送予定情報を記憶装置に記録する。なお、以上の説明においては、検索部と、過去番組識別情報経由取得手段とは、ソフトウェアで構成されているものとして説明したが、ハードウェアで構成されていてもよい。
【００５０】
<処理の流れ>
以下に、本実施形態の処理の流れについて説明する。
図１３は、本実施形態の処理の流れの一例を示す図である。
まず過去番組識別情報経由取得ステップは、保持されている過去番組識別情報に基づいて過去番組特定情報を取得する（ステップＳ１３０１）。
次に将来ＥＰＧ取得ステップは、将来に放送される番組を示す将来ＥＰＧを取得する（ステップＳ１３０２）。
次に検索ステップは、過去番組特定情報をキーとして過去番組と同一番組を将来ＥＰＧから検索を開始し（ステップＳ１３０３）、同一番組が見つかったかどうか判断する（ステップＳ１３０４）。判断の結果、同一番組が見つかった場合には、過去番組と同一番組の放送予定情報を記録し（ステップＳ１３０５）、ステップＳ１３０６に進む。判断の結果、同一番組が見つからなかった場合には、ステップＳ１３０６に進む。
次に検索ステップは、将来ＥＰＧのすべての番組を検索したか判断する（ステップＳ１３０６）。判断の結果、将来ＥＰＧのすべての番組を検索した場合には処理を終了し、将来ＥＰＧのすべての番組を検索していない場合には、ステップＳ１３０７に進む。
次に検索ステップは、次の番組を検索し、ステップＳ１３０４に進む（ステップＳ１３０７）。
【００５１】
<実施形態３の効果の簡単な説明>
本実施形態の再放送録画予約装置によれば、保持されている過去番組識別情報に基づいて過去番組特定情報を取得することができる。
【００５２】
<<実施形態４>>
以下に、実施形態４について説明する。
<実施形態４の概念>
以下に本実施形態の概念について説明する。本実施形態は、将来ＥＰＧから検索された過去番組と同一番組の録画予約を実行する録画予約部をさらに有する実施形態１から３のいずれか一に記載の再放送録画予約装置に関する。
【００５３】
<構成要件の明示>
以下に、本実施形態の構成要件を明示する。
図１４は、本実施形態の機能ブロックの一例を示すための図である。再放送録画予約装置１４００は、過去番組特定情報取得部１４０１と、将来ＥＰＧ取得部１４０２と、検索部１４０３と、録画予約部１４０８と、からなる。また、過去番組特定情報取得部は、過去番組識別情報保持手段と、過去番組識別情報経由取得手段と、を有する構成であってもよい。さらに、過去番組特定情報取得部は、過去ＥＰＧ表示選択手段と、過去ＥＰＧ経由取得手段と、を有する構成であってもよい。
【００５４】
<構成要件の説明>
以下に、本実施形態の構成要件について説明をする。
（将来ＥＰＧ取得部）、（検索部）、（過去番組特定情報取得部）、（過去ＥＰＧ表示選択手段）、（過去ＥＰＧ経由取得手段）、（過去番組識別情報保持手段）、（過去番組識別情報保持手段）
「将来ＥＰＧ取得部」、「検索部」、「過去ＥＰＧ表示選択手段」、「過去ＥＰＧ経由取得手段」、「過去番組特定情報取得部」、「過去番組識別情報経由取得手段」は、実施形態１から３のいずれか一と同様なので説明を省略する。
【００５５】
（録画予約部）
「録画予約部」は、将来ＥＰＧから検索された過去番組と同一番組の録画予約を実行するように構成されている。録画予約部は、検索部での検索結果に基づいて、録画すべきチャンネルと時間が特定されることによって、録画予約がされる。そして録画予約部は、録画時刻になるとチャンネルを切り替えて録画を開始する。録画予約は、一例として、内蔵タイマーによって行われる。
【００５６】
（ハードウェア構成図）
以下に、本実施形態のハードウェア構成の一例について説明する。
（ハードウェア構成図）
以下に、本実施形態のハードウェア構成の一例について説明する。
図１５は、本実施形態の再放送録画予約装置のハードウェア構成の一例を示す概略図である。この図を利用して、再放送録画予約装置のそれぞれのハードウェア構成部の働きについて説明する。この図にあるように、再放送録画予約装置１５００は、将来ＥＰＧ取得部１５０２に「将来ＥＰＧ生成器」（１５０４）を備えている。また、再放送録画予約装置は、検索部１５０３に「ＣＰＵ（中央処理装置）」（１５０５）と、「主メモリ」（１５０６）と、「記憶装置」（１５０７）と、「内蔵時計」（１５０８）と、を備えている。また、再放送録画予約装置は、「アンテナ」（１５０９）と、「チューナ」（１５１０）と、「入力インターフェース」（１５１１）と、を備えている。また、再放送録画予約装置は、録画予約部１５１２を備えている。そして、それらが「システムバス」（１５０１）などのデータ通信経路によって相互に接続され、情報の送受信や処理を行う。
【００５７】
録画予約部は、将来ＥＰＧから検索された過去番組と同一番組の録画予約を実行する。その他の各ハードウェア構成の機能については、実施形態１から３のいずれか一と同様であるので説明を省略する。
【００５８】
以下に、将来ＥＰＧから検索された過去番組と同一番組の録画予約を実行する場合について説明する。まず再放送録画予約装置の電源を入れると、記憶装置に記憶されている検索用プログラム（アドレス０１）、過去番組特定情報取得用プログラム（アドレス０２）が主メモリのワーク領域（アドレス１１、１５）にそれぞれ展開される。検索用プログラム（検索部）が、過去番組特定情報の中から「ミュージック２１」をキーとして将来ＥＰＧから検索し、過去番組と同一番組の放送予定情報を記憶装置に記録するまでの流れは実施形態１から３のいずれか一と同様であるので説明を省略する。次に録画予約部は、記憶装置のアドレス０５に格納されている将来ＥＰＧから検索された過去番組と同一番組（［Ｓ］［再］２００７年１月３１日、１０１チャンネル、２３：００〜０：００「ミュージック２１」<番組概要>Ｎ−ＰＯＰ［出演］幸田久美、歌ひかる、浜山あゆ、イブニング娘、ＶＯＡ、ＳＮＡＰ、ＹＥＬＬＯＷ、関東キッズ、ＷＡＴ他［番組内容］Ｎ−ＰＯＰを代表するトップ１０勢ぞろい）の録画予約を実行する。なお、以上の説明においては、検索部は、ソフトウェアで構成されているものとして説明したが、ハードウェアで構成されていてもよい。
【００５９】
<処理の流れ>
以下に、本実施形態の処理の流れについて説明する。
図１６は、本実施形態の処理の流れの一例を示す図である。
まず過去番組特定情報取得ステップは、放送済の番組を一に特定する過去番組特定情報を取得する（ステップＳ１６０１）。
次に将来ＥＰＧ取得ステップは、将来に放送される番組を示す将来ＥＰＧを取得する（ステップＳ１６０２）。
次に検索ステップは、過去番組特定情報をキーとして過去番組と同一番組を将来ＥＰＧから検索を開始し（ステップＳ１６０３）、同一番組が見つかったかどうか判断する（ステップＳ１６０４）。判断の結果、同一番組が見つかった場合には、過去番組と同一番組の放送予定情報を記録し（ステップＳ１６０５）、ステップＳ１６０６に進む。判断の結果、同一番組が見つからなかった場合には、ステップＳ１６０６に進む。
次に検索ステップは、将来ＥＰＧのすべての番組を検索したか判断する（ステップＳ１６０６）。判断の結果、将来ＥＰＧのすべての番組を検索した場合には処理を終了し、将来ＥＰＧのすべての番組を検索していない場合には、ステップＳ１６０７に進む。
次に検索ステップは、次の番組を検索し、ステップＳ１６０４に進む（ステップＳ１６０７）。
次に録画予約ステップは、将来ＥＰＧから検索された過去番組と同一番組の録画予約を実行する（ステップＳ１６０４）。
【００６０】
<実施形態４の効果の簡単な説明>
本実施形態の再放送録画予約装置によれば、将来ＥＰＧから検索された過去番組と同一番組の録画予約を実行することができる。
【００６１】
<<実施形態５>>
以下に、実施形態５について説明する。
<実施形態５の概念>
以下に本実施形態の概念について説明する。本実施形態は、過去番組特定情報に基づいてその番組の再放送の確度に関する情報を取得する再放送確度情報取得部をさらに有する実施形態１から４のいずれか一に記載の再放送録画予約装置に関する。
【００６２】
<構成要件の明示>
以下に、本実施形態の構成要件を明示する。
図１７は、本実施形態の機能ブロックの一例を示すための図である。再放送録画予約装置１７００は、過去番組特定情報取得部１７０１と、将来ＥＰＧ取得部１７０２と、検索部１７０３と、再放送確度情報取得部１７０９と、からなる。また再放送録画予約装置は、録画予約部１７０８を有する構成であってもよい。また、過去番組特定情報取得部は、過去番組識別情報保持手段と、過去番組識別情報経由取得手段と、を有する構成であってもよい。さらに、過去番組特定情報取得部は、過去ＥＰＧ表示選択手段と、過去ＥＰＧ経由取得手段と、を有する構成であってもよい。
【００６３】
<構成要件の説明>
以下に、本実施形態の構成要件について説明をする。
（将来ＥＰＧ取得部）、（検索部）、（過去番組特定情報取得部）、（過去ＥＰＧ表示選択手段）、（過去ＥＰＧ経由取得手段）、（過去番組識別情報保持手段）、（過去番組識別情報保持手段）、（録画予約部）
「将来ＥＰＧ取得部」、「検索部」、「過去ＥＰＧ表示選択手段」、「過去ＥＰＧ経由取得手段」、「過去番組特定情報取得部」、「過去番組識別情報経由取得手段」、「録画予約部」は、実施形態１から４のいずれか一と同様なので説明を省略する。
【００６４】
（再放送確度情報取得部）
「再放送確度情報取得部」は、過去番組特定情報に基づいてその番組の再放送の確度に関する情報を取得するように構成されている。ここで「確度に関する情報」には、一例として、蓄積された過去のデータから統計的に構成される情報などが挙げられる。具体的には、各放送局別に、過去にその時間帯の番組が再放送された実績がどれくらいあるかを示す情報が挙げられる。例えば、ある放送局の番組において、過去５年間においてその時間帯のドラマが２０作品放送され、そのうち１５作品が再放送された実績がある場合には、再放送の確度を確率７５％（１５／２０）として取得するように構成することができる。再放送であるかどうかを示す情報取得されたその番組の再放送の確度に関する情報は、検索部やディスプレイに出力されるなどして利用される。
【００６５】
なお、見逃した放送が複数ある場合に、複数の放送の再放送が同じ時間帯に重なった場合は、確度がより低い方を優先して処理をするように構成することができる。
図２４は、見逃した放送が複数ある場合の処理の流れの一例を説明するための図である。
まず再放送確度情報取得ステップは、過去番組特定情報に基づいてその番組の再放送の確度に関する情報を取得する（ステップＳ２４０１）。
次に再放送確度情報取得ステップは、見逃した放送が複数あるか判断し、判断の結果、複数有る場合には、ステップＳ２４０３に進み、複数ない場合には処理を終了する（ステップＳ２４０２）。
次に再放送確度情報取得ステップは、見逃した放送が複数有る場合には、見逃した複数の放送の再放送が同じ時間帯に重なっているか判断する。判断の結果、重なっている場合には、ステップＳ２４０４に進み、重なっていない場合には処理を終了する（ステップＳ２４０３）。
次に再放送確度情報取得ステップは、見逃した複数の放送の再放送が同じ時間帯に重なっている場合には、再放送の確度がより低い方の放送を優先して処理をする（ステップＳ２４０４）。
【００６６】
（ハードウェア構成図）
以下に、本実施形態のハードウェア構成の一例について説明する。
（ハードウェア構成図）
以下に、本実施形態のハードウェア構成の一例について説明する。
図１８は、本実施形態の再放送録画予約装置のハードウェア構成の一例を示す概略図である。この図を利用して、再放送録画予約装置のそれぞれのハードウェア構成部の働きについて説明する。この図にあるように、再放送録画予約装置１８００は、将来ＥＰＧ取得部１８０２に「将来ＥＰＧ生成器」（１８０４）を備えている。また、再放送録画予約装置は、検索部１８０３に「ＣＰＵ（中央処理装置）」（１８０５）と、「主メモリ」（１８０６）と、「記憶装置」（１８０７）と、「内蔵時計」（１８０８）と、を備えている。また、再放送録画予約装置は、「アンテナ」（１８０９）と、「チューナ」（１８１０）と、「入力インターフェース」（１８１１）と、を備えている。また、再放送録画予約装置は、録画予約部１８１２を備えている。そして、それらが「システムバス」（１８０１）などのデータ通信経路によって相互に接続され、情報の送受信や処理を行う。
各ハードウェア構成の機能については、実施形態１から４のいずれか一と同様であるので説明を省略する。
【００６７】
以下に、過去番組特定情報に基づいてその番組の再放送の確度に関する情報を取得する場合について説明する。まず再放送録画予約装置の電源を入れると、記憶装置に記憶されている検索用プログラム（アドレス０１）、過去番組特定情報取得用プログラム（アドレス０２）、再放送確度情報取得用プログラム（アドレス０６）が主メモリのワーク領域（アドレス１１、１５、１６）にそれぞれ展開される。再放送録画予約装置が過去番組特定情報を取得するまでの動作は、実施形態１から４のいずれか一と同様であるので説明を省略する。過去番組特定情報取得用プログラム（アドレス１５）は、記憶装置のアドレス０４に格納されている過去番組特定情報（２００７年１月２０日、１０１チャンネル、２１：００〜２２：００「ミュージック２１」）を取得するものとする。次に再放送確度情報取得用プログラム（再放送確度情報取得部、アドレス１６）は、記憶装置のアドレス０４に格納されている過去番組特定情報に基づいてその番組の再放送確度情報（記憶装置のアドレス０７に格納されている）として再放送の確率５０％を取得する。検索部、録画予約部の動作については、実施形態１から４のいずれか一と同様であるので説明を省略する。
【００６８】
図１９は、再放送確度情報の一例を示す図である。図１９においては、１チャンネルと２チャンネルの１８：００〜２２：００までの各時間帯における再放送確度情報が％表示されている。例えば、１チャンネルの１８：００〜１９：００の時間帯における再放送の確率は、７０％であることが示されている。なお、図１９は、最初に放送された番組が、再放送、再々放送等される確率を示しており、例えば、過去５年間の同じ曜日の同じ時間帯の番組が再放送、再々放送等されたものを統計処理することによって得られている。なお、再放送された番組が、再々放送等される確率を示すように構成されていてもよい。これらの再放送確度情報は、例えば、予め算出されて記憶装置などに保持されている。
【００６９】
なお、以上の説明においては、再放送確度情報取得部は、ソフトウェアで構成されているものとして説明したが、ハードウェアで構成されていてもよい。
【００７０】
<処理の流れ>
以下に、本実施形態の処理の流れについて説明する。
図２０は、本実施形態の処理の流れの一例を示す図である。
まず過去番組特定情報取得ステップは、放送済の番組を一に特定する過去番組特定情報を取得する（ステップＳ２００１）。
次に再放送確度情報取得ステップは、過去番組特定情報に基づいてその番組の再放送の確度に関する情報を取得する（ステップＳ２００２）。
次に将来ＥＰＧ取得ステップは、将来に放送される番組を示す将来ＥＰＧを取得する（ステップＳ２００３）。
次に検索ステップは、過去番組特定情報をキーとして過去番組と同一番組を将来ＥＰＧから検索を開始し（ステップＳ２００４）、同一番組が見つかったかどうか判断する（ステップＳ２００５）。判断の結果、同一番組が見つかった場合には、過去番組と同一番組の放送予定情報を記録し（ステップＳ２００６）、ステップＳ２００７に進む。判断の結果、同一番組が見つからなかった場合には、ステップＳ２００７に進む。
次に検索ステップは、将来ＥＰＧのすべての番組を検索したか判断する（ステップＳ２００７）。判断の結果、将来ＥＰＧのすべての番組を検索した場合には処理を終了し、将来ＥＰＧのすべての番組を検索していない場合には、ステップＳ２００８に進む。
次に検索ステップは、次の番組を検索し、ステップＳ２００５に進む（ステップＳ２００８）。
次に録画予約ステップは、将来ＥＰＧから検索された過去番組と同一番組の録画予約を実行する（ステップＳ２００５）。
【００７１】
<実施形態５の効果の簡単な説明>
本実施形態の再放送録画予約装置によれば、過去番組特定情報に基づいてその番組の再放送の確度に関する情報を取得することができる。
【００７２】
<<実施形態６>>
以下に、実施形態６について説明する。
<実施形態６の概念>
以下に本実施形態の概念について説明する。本実施形態は、再放送確度情報取得部が、過去番組特定情報をキーとして過去ＥＰＧを検索し、検索されたその番組の放送済回数を取得して前記再放送確度情報を算出する実施形態５に記載の再放送録画予約装置に関する。
【００７３】
<構成要件の明示>
以下に、本実施形態の構成要件については、実施形態５と同様なので説明を省略する。
【００７４】
<構成要件の説明>
以下に、本実施形態の構成要件について説明をする。
（将来ＥＰＧ取得部）、（検索部）、（過去番組特定情報取得部）、（過去ＥＰＧ表示選択手段）、（過去ＥＰＧ経由取得手段）、（過去番組識別情報保持手段）、（過去番組識別情報保持手段）、（録画予約部）
「将来ＥＰＧ取得部」、「検索部」、「過去ＥＰＧ表示選択手段」、「過去ＥＰＧ経由取得手段」、「過去番組特定情報取得部」、「過去番組識別情報経由取得手段」、「録画予約部」は、実施形態５と同様なので説明を省略する。
【００７５】
（再放送確度情報取得部）
「再放送確度情報取得部」は、過去番組特定情報をキーとして過去ＥＰＧを検索し、検索されたその番組の放送済回数を取得して前記再放送確度情報を算出するように構成されている。それ以外の点は、実施形態５と同様なので説明を省略する。
【００７６】
（ハードウェア構成図）
ハードウェア構成図については、実施形態５と同様なので説明を省略する。
【００７７】
<処理の流れ>
以下に、本実施形態の処理の流れについては、実施形態５と同様なので説明を省略する。
【００７８】
<実施形態６の効果の簡単な説明>
本実施形態の再放送録画予約装置によれば、過去番組特定情報をキーとして過去ＥＰＧを検索し、検索されたその番組の放送済回数を取得して前記再放送確度情報を算出することができる。
【００７９】
<<実施形態７>>
以下に、実施形態７について説明する。
<実施形態７の概念>
以下に本実施形態の概念について説明する。本実施形態は、再放送情報付ＥＰＧを取得する再放送情報付ＥＰＧを取得する再放送情報付ＥＰＧ取得部を有し、前記検索部は、取得した再放送情報付ＥＰＧに基づいて前記検索を行う実施形態１から６のいずれか一に記載の再放送録画予約装置に関する。
【００８０】
<構成要件の明示>
以下に、本実施形態の構成要件を明示する。
図２１は、本実施形態の機能ブロックの一例を示すための図である。再放送録画予約装置２１００は、過去番組特定情報取得部２１０１と、将来ＥＰＧ取得部２１０２と、検索部２１０３と、再放送情報付ＥＰＧ取得部２１１０と、からなる。また再放送録画予約装置は、録画予約部２１０８と、再放送確度情報取得部と、を有する構成であってもよい。また、過去番組特定情報取得部は、過去番組識別情報保持手段と、過去番組識別情報経由取得手段と、を有する構成であってもよい。さらに、過去番組特定情報取得部は、過去ＥＰＧ表示選択手段と、過去ＥＰＧ経由取得手段と、を有する構成であってもよい。
【００８１】
<構成要件の説明>
以下に、本実施形態の構成要件について説明をする。
（将来ＥＰＧ取得部）、（過去番組特定情報取得部）、（過去ＥＰＧ表示選択手段）、（過去ＥＰＧ経由取得手段）、（過去番組識別情報保持手段）、（過去番組識別情報保持手段）、（録画予約部）、（再放送確度情報取得部）
「将来ＥＰＧ取得部」、「過去ＥＰＧ表示選択手段」、「過去ＥＰＧ経由取得手段」、「過去番組特定情報取得部」、「過去番組識別情報経由取得手段」、「録画予約部」、「再放送確度情報取得部」は、実施形態１から６のいずれか一と同様なので説明を省略する。
【００８２】
（再放送情報付ＥＰＧ取得部）
「再放送情報付ＥＰＧ取得部」は、再放送情報付ＥＰＧを取得するように構成されている。ここで「再放送情報」とは、再放送予定があるかどうかの情報のことをいう。再放送情報には、一例として、再放送の有無、再放送の日時、再放送の回数、再放送のチャンネルなどが挙げられる。再放送情報付ＥＰＧは、一例として、後述の再放送情報付ＥＰＧ放送装置から取得される。再放送情報付ＥＰＧ取得部は、検索部に出力されるなどして利用される。
【００８３】
図２５は、構造化文章でタグにより再放送ありの情報が記述されている場合の一例を説明するための図である。図２５においては、
<再放送情報>
<再放送>  有  <／再放送>
・・・
・・・
・・・
<／再放送情報>
と記述することにより、再放送有の情報を付している。
【００８４】
（検索部）
「検索部」は、取得した再放送情報付ＥＰＧに基づいて前記検索を行うように構成されている。それ以外の点は、実施形態１から６のいずれか一と同様なので説明を省略する。
【００８５】
（ハードウェア構成図）
ハードウェア構成図については、実施形態１から６のいずれか一と同様なので説明を省略する。
【００８６】
<処理の流れ>
以下に、本実施形態の処理の流れについて説明する。
図２２は、本実施形態の処理の流れの一例を示す図である。
まず過去番組特定情報取得ステップは、放送済の番組を一に特定する過去番組特定情報を取得する（ステップＳ２２０１）。
次に再放送情報付ＥＰＧ取得ステップは、再放送情報付ＥＰＧを取得する再放送情報付ＥＰＧを取得する（ステップＳ２２０２）。
次に将来ＥＰＧ取得ステップは、将来に放送される番組を示す将来ＥＰＧを取得する（ステップＳ２２０３）。
次に検索ステップは、過去番組特定情報をキーとして過去番組と同一番組を将来ＥＰＧから検索を開始し（ステップＳ２２０４）、同一番組が見つかったかどうか判断する（ステップＳ２２０５）。判断の結果、同一番組が見つかった場合には、過去番組と同一番組の放送予定情報を記録し（ステップＳ２２０６）、ステップＳ２２０７に進む。判断の結果、同一番組が見つからなかった場合には、ステップＳ２２０７に進む。
次に検索ステップは、将来ＥＰＧのすべての番組を検索したか判断する（ステップＳ２２０７）。判断の結果、将来ＥＰＧのすべての番組を検索した場合には処理を終了し、将来ＥＰＧのすべての番組を検索していない場合には、ステップＳ２２０８に進む。
次に検索ステップは、次の番組を検索し、ステップＳ２２０５に進む（ステップＳ２２０８）。
【００８７】
<実施形態７の効果の簡単な説明>
本実施形態の再放送録画予約装置によれば、取得した再放送情報付ＥＰＧに基づいて過去番組特定情報をキーとして過去番組と同一番組を将来ＥＰＧから検索することができる。
【００８８】
<<実施形態８>>
以下に、実施形態８について説明する。
<実施形態８の概念>
以下に本実施形態の概念について説明する。本実施形態は、再放送に関する情報を含むＥＰＧである再放送情報付ＥＰＧを放送する再放送情報付ＥＰＧ放送装置に関する。
【００８９】
<構成要件の明示>
以下に、本実施形態の構成要件について明示する。
図２３は、本実施形態の機能ブロックの一例を示すための図である。再放送情報付ＥＰＧ放送装置２３００は、再放送情報付ＥＰＧ取得部２３０１と、再放送情報付ＥＰＧ放送部２３０２と、からなる。
【００９０】
<構成要件の説明>
以下に、本実施形態の構成要件について説明をする。
（再放送情報付ＥＰＧ取得部）
「再放送情報付ＥＰＧ取得部」は、再放送情報付ＥＰＧを取得するように構成されている。ここで「再放送情報付ＥＰＧ」とは、再放送に関する情報を含むＥＰＧのことをいう。再放送情報付ＥＰＧは外部から取得されてもよいし、内部で生成取得されてもよい。取得された再放送情報付ＥＰＧは、再放送情報付ＥＰＧ放送部に出力されるなどして利用される。
【００９１】
（再放送情報付ＥＰＧ放送部）
「再放送情報付ＥＰＧ放送部」は、再放送情報付ＥＰＧを放送するように構成されている。放送された再放送情報付ＥＰＧは、再放送録画予約装置に出力されるなどして利用される。
【００９２】
<実施形態８の効果の簡単な説明>
本実施形態の再放送録画予約装置によれば、再放送に関する情報を含むＥＰＧである再放送情報付ＥＰＧを放送することができる。
【産業上の利用可能性】
【００９３】
本発明は、放送済の過去番組から一の番組を特定し、将来ＥＰＧから検索する再放送録画予約装置に利用可能である。
【図面の簡単な説明】
【００９４】
【図１】実施形態１の概念図
【図２】実施形態１の機能ブロック図
【図３】実施形態１の過去番組特定情報を説明するための図
【図４】実施形態１の将来ＥＰＧを説明するための図
【図５】実施形態１のハードウェア構成図
【図６】実施形態１の処理の流れ図
【図７】実施形態２の機能ブロック図
【図８】実施形態２のハードウェア構成図
【図９】実施形態２の処理の流れ図
【図１０】実施形態３の機能ブロック図
【図１１】実施形態３の過去番組識別情報を説明するための図
【図１２】実施形態３のハードウェア構成図
【図１３】実施形態３の処理の流れ図
【図１４】実施形態４の機能ブロック図
【図１５】実施形態４のハードウェア構成図
【図１６】実施形態４の処理の流れ図
【図１７】実施形態５の機能ブロック図
【図１８】実施形態５のハードウェア構成図
【図１９】実施形態５の再放送確度情報を説明するための図
【図２０】実施形態５の処理の流れ図
【図２１】実施形態７の機能ブロック図
【図２２】実施形態７の処理の流れ図
【図２３】実施形態８の機能ブロック図
【図２４】実施形態５の再放送番組の優先処理を説明するための図
【図２５】実施形態７の再放送情報を説明するための図
【符号の説明】
【００９５】
０１０１  過去番組特定情報
０１０２  将来ＥＰＧ
【図１】
0004600887.tif 000002
【図２】
0004600887.tif 000003
【図３】
0004600887.tif 000004
【図４】
0004600887.tif 000005
【図５】
0004600887.tif 000006
【図６】
0004600887.tif 000007
【図７】
0004600887.tif 000008
【図８】
0004600887.tif 000009
【図９】
0004600887.tif 000010
【図１０】
0004600887.tif 000011
【図１１】
0004600887.tif 000012
【図１２】
0004600887.tif 000013
【図１３】
0004600887.tif 000014
【図１４】
0004600887.tif 000015
【図１５】
0004600887.tif 000016
【図１６】
0004600887.tif 000017
【図１７】
0004600887.tif 000018
【図１８】
0004600887.tif 000019
【図１９】
0004600887.tif 000020
【図２０】
0004600887.tif 000021
【図２１】
0004600887.tif 000022
【図２２】
0004600887.tif 000023
【図２３】
0004600887.tif 000024
【図２４】
0004600887.tif 000025
【図２５】
0004600887.tif 000026